(57)【要約】【課題】外力に強い構造で倒れ補正を行うこと【解決手段】レンズ鏡筒は、レンズ６を保持する保持枠２と、レンズ保持枠の面３０を固定する固定枠３と、固定枠３と面３０との間に設けられた中間リング４と、中間リングとレンズ保持枠を両者間に隙間を形成した状態で固定するネジ７ａと、固定枠と中間リングを両者間に隙間を形成した状態で固定するネジ７ｂと、中間リングとレンズ保持枠の間隔を変化させることによって直線８ａの周りにレンズの光軸を傾斜させる調整ビス１２ａと、固定枠と中間リングの間隔を変化させることによって直線８ａとは平行ではない直線８ｂの周りにレンズの光軸を傾斜させる調整ビス１２ｂと、を有する。【選択図】図１
2012048090.tif 000002
【特許請求の範囲】
【請求項１】
レンズを保持する保持部材と、
前記保持部材の、前記レンズの光軸方向と平行ではない面を固定する固定部材と、
前記固定部材と前記保持部材の前記面との間に設けられた中間部材と、
前記中間部材と前記保持部材の前記面を、その間に隙間を形成した状態で固定する第１固定手段と、
前記固定部材と前記中間部材を、その間に隙間を形成した状態で固定する第２固定手段と、
前記中間部材と前記保持部材の前記面との間隔を変化させることによって第１直線の周りに前記レンズの光軸を傾斜させる第１傾き調整手段と、
前記固定部材と前記中間部材の間隔を変化させることによって前記第１直線とは平行ではない第２直線の周りに前記レンズの光軸を傾斜させる第２傾き調整手段と、
を有することを特徴とするレンズ鏡筒。
【請求項２】
前記第１直線と前記第２直線が直交することを特徴とする請求項１に記載のレンズ鏡筒。
【請求項３】
前記第１傾き調整手段は、前記保持部材と係合可能に構成された第１ネジと、前記保持部材の表面を押圧可能に構成された第２ネジと、を有し、
前記第２傾き調整手段は、前記中間部材と係合可能に構成された第３ネジと、前記中間部材の表面を押圧可能に構成された第４ネジと、を有することを特徴とする請求項１または２に記載のレンズ鏡筒。
【請求項４】
前記中間部材と前記保持部材の間に隙間を形成するスペーサーを更に有することを特徴とする請求項１〜３のうちいずれか一項に記載のレンズ鏡筒。
【請求項５】
前記固定部材と前記中間部材の間に隙間を形成するスペーサーを更に有することを特徴とする請求項１〜４のうちいずれか一項に記載のレンズ鏡筒。
【請求項６】
前記中間部材または前記保持部材は、前記中間部材と前記保持部材の間に隙間を形成する突起を更に有することを特徴とする請求項１〜３のうちいずれか一項に記載のレンズ鏡筒。
【請求項７】
前記固定部材または前記中間部材は、前記固定部材と前記中間部材の間に隙間を形成する突起を更に有することを特徴とする請求項１〜３のうちいずれか一項に記載のレンズ鏡筒。
【請求項８】
前記中間部材は、前記保持部材に対向する面および前記固定部材に対向する面の少なくとも一方が、前記光軸方向に垂直な平面に対して平行ではなく傾斜している斜面を有することを特徴とする請求項１〜７のうちいずれか一項に記載のレンズ鏡筒。
【請求項９】
レンズを保持する保持部材と、
前記保持部材の、前記レンズの光軸方向と平行ではない面を固定する固定部材と、
前記固定部材と前記保持部材の前記面との間に設けられた中間部材と、
前記中間部材と前記保持部材の前記面を、その間に隙間を形成した状態で固定する第１固定手段と、
前記固定部材と前記中間部材を、その間に隙間を形成した状態で第２固定手段と、
を有するレンズ鏡筒の製造方法であって、
前記中間部材と前記保持部材の前記面との間隔を変化させることによって第１直線の周りに前記レンズの光軸を傾斜させるステップと、
前記固定部材と前記中間部材の間隔を変化させることによって前記第１直線とは平行ではない第２直線の周りに前記レンズの光軸を傾斜させるステップと、
を有することを特徴とするレンズ鏡筒の製造方法。
【請求項１０】
請求項１〜８のうちいずれか一項に記載の撮像装置。
【発明の詳細な説明】
【技術分野】
【０００１】
本発明は、レンズ鏡筒に関する。
【背景技術】
【０００２】
レンズ鏡筒の光軸を傾斜させる倒れ補正（チルト補正）によって光軸ずれを調整（調心）することは知られている。例えば、特許文献１は、レンズホルダに設けられた３つの腕部の一つを支点部とし、他の腕部にレンズ鏡筒の取付部材との距離を変更するネジを設け、ネジの進退によってレンズの倒れ補正を独立して行うレンズ鏡筒を開示している。その他の従来技術としては特許文献２がある。
【先行技術文献】
【特許文献】
【０００３】
【特許文献１】特開平１１−１７４３０３号公報
【特許文献２】特開２０００−１９３８６９号公報
【発明の概要】
【発明が解決しようとする課題】
【０００４】
しかしながら、特許文献１は、レンズホルダの重心に対して３つの腕部の固定が片寄り、外力に対する保持力が不十分になりやすい。
【０００５】
そこで、本発明は、外力に強い構造で倒れ補正を行うことが可能なレンズ鏡筒を提供することを例示的な目的とする。
【課題を解決するための手段】
【０００６】
本発明のレンズ鏡筒は、レンズを保持する保持部材と、前記保持部材の、前記レンズの光軸方向と平行ではない面を固定する固定部材と、前記固定部材と前記保持部材の前記面との間に設けられた中間部材と、前記中間部材と前記保持部材の前記面を、その間に隙間を形成した状態で固定する第１固定手段と、前記固定部材と前記中間部材を、その間に隙間を形成した状態で固定する第２固定手段と、前記中間部材と前記保持部材の前記面との間隔を変化させることによって第１直線の周りに前記レンズの光軸を傾斜させる第１傾き調整手段と、前記固定部材と前記中間部材の間隔を変化させることによって前記第１直線とは平行ではない第２直線の周りに前記レンズの光軸を傾斜させる第２傾き調整手段と、を有することを特徴とする。
【発明の効果】
【０００７】
本発明によれば、外力に強い構造で倒れ補正を行うことが可能なレンズ鏡筒を提供することができる。
【図面の簡単な説明】
【０００８】
【図１】レンズ鏡筒の分解斜視図である。（実施例１）
【図２】図１に示すレンズ鏡筒の平面図と断面図である。（実施例１）
【図３】図１に示す中間リングとレンズ保持枠との間の倒し調整を説明するための断面図である。（実施例１）
【図４】図１に示す固定枠と中間リングとの間の倒し調整を説明するための断面図である。（実施例１）
【図５】図２（ａ）の変形例の平面図である。（実施例１）
【図６】図２（ａ）の別の変形例の平面図である。（実施例１）
【図７】レンズ鏡筒の中間リングとレンズ保持枠との間の倒し調整を説明するための側面図である。（実施例２）
【図８】図７に示すレンズ鏡筒の固定枠と中間リングとの間の倒し調整を説明するための側面図である。（実施例２）
【図９】図７に示すレンズ鏡筒の側面図である。（実施例２）
【図１０】図７の変形例の平面図、側面図である。（実施例２）
【発明を実施するための形態】
【０００９】
以下に、添付図面を参照して、本発明の実施例について説明する。
【実施例１】
【００１０】
図１は、本実施例のレンズ鏡筒５の分解斜視図である。レンズ鏡筒５は、レンズ保持枠（保持部材）２、固定部材（固定枠）３、中間リング（中間部材）４、一対のネジ（第１固定手段）７ａ、一対のネジ（第２固定手段）７ｂ、調整用ビス（第１傾き調整手段）１２ａ、調整用ビス（第２傾き調整手段）１２ｂを有する。
【００１１】
図２は、レンズ鏡筒５を組み立てた状態を示す図であり、図２（ａ）はレンズ６の光軸に垂直な平面図（またはネジ７ａまたは７ｂの中心線に垂直な平面図）である。また、（ｂ）、（ｃ）がそれぞれ底面側、左側面側から見た部分断面図である。
【００１２】
各図において、１は直交座標系である。直交座標系１において、Ｘ方向はレンズ鏡筒の光軸方向（レンズ６の光軸ＯＡまたはそれに平行な方向）である。Ｙ方向、Ｚ方向は光軸に垂直な直交する２方向であり、Ｙ方向が光軸中心から上方向を正とする方向であり、Ｚ方向は物体側から見たときに光軸中心から右方向を正とする方向である。
【００１３】
レンズ保持枠２は、中空円盤形状のベース２ａと、レンズ６を保持する中空の円筒部２ｂを有する。但し、ベース２ａの形状は円盤形状に限定されず、レンズ６を保持する部材も円筒部２ｂのような円筒形状ではなく多角形柱形状でもよい。
【００１４】
ベース２ａは、円筒部２ｂの中心線に平行な直線（即ち、レンズ６の光軸方向又はＸ方向）に直交する円環面３０を表面に有する。円環面３０は、レンズ保持枠２が固定枠３と中間リング４に固定される面であるが、この面はレンズ６の光軸方向に必ずしも直交する必要ではなく、非平行であればよい。被固定面がレンズの光軸方向に平行である場合にはレンズ６の径方向の長さが大きくなってレンズ鏡筒が大型になるので、本実施例のような非平行の構成は好ましい。
【００１５】
ベース２ａは円筒部２ｂの端部に結合され、レンズ６の光軸上の任意の位置から等距離の位置に設けられた一対のネジ穴３１を有する。即ち、円環面３０をそれに垂直な方向から見た場合に円環面３０の内円又は外円の中心から等距離の位置に一対のネジ穴３１の中心がある。
【００１６】
また、レンズ保持枠２は、後述する呼び込みビス１１ａに対応するネジ穴（第３ネジ穴）１５ａを更に有する。
【００１７】
固定枠３は、平板形状を有し、レンズ保持枠２のベース２ａの、レンズ６の光軸方向と平行ではない（ほぼ直交する）円環面３０を固定する。固定枠３の平板形状は本実施例では円盤形状であり、レンズ保持枠２の円筒部２ｂが挿入される中央の貫通孔４０と、貫通孔４０の中心線上の任意の位置から等距離の位置に設けられた一対の貫通孔４１と、を有する。貫通孔４０には、調整ビス１２ａが貫通する長孔４０ａが形成されている
貫通孔４０と円筒部２ｂとの間には倒し調整時に干渉しないように十分な間隙が設けられている。固定枠３を貫通孔４０の中心線の方向（−Ｘ方向）から見た場合に貫通孔４０の中心から等距離の位置に一対の貫通孔４１の中心がある。レンズ鏡筒５は、固定枠３と連結するように、不図示の他のレンズ保持枠や撮像素子が配置されており、倒し調整によって、レンズ鏡筒全体の光学性能を調整するようになっている。
【００１８】
また、固定枠３は、貫通孔４２とネジ切りされた貫通孔１４ｂを更に有する。
【００１９】
中間リング４は、固定枠３とレンズ保持枠２のベース２ａの円環面３０との間に設けられ、本実施例では円盤形状を有する。中間リング４は、レンズ保持枠２の円筒部２ｂが挿入される中央の貫通孔５０を有する。貫通孔５０と円筒部２ｂとの間には倒し調整時に干渉しないように十分な間隙が設けられている。
【００２０】
また、中間リング４は、貫通孔５０の任意の位置から等距離の位置に設けられた一対の貫通孔５１と、貫通孔５０の任意の位置から等距離の位置に設けられた一対のネジ穴５２と、を有する。中間リング４を貫通孔５０の中心線の方向（−Ｘ方向）から見た場合に貫通孔５０の中心から等距離の位置に一対の貫通孔５１の中心があり、一対のネジ穴５２の中心がある。
【００２１】
更に、中間リング４は、呼び込みビス１１ａに対応する貫通孔５３と、押しビス１０に対応するネジ切りされた貫通孔１４ａと、呼び込みビス１１ｂに対応するネジ穴１５ｂを更に有する。
【００２２】
レンズ保持枠２のベース２ａの円環面３０と中間リング４は、一対の連結用ネジ（第１ネジ）７ａを使用して、直交座標系１におけるＹ軸方向に平行な直線８ａ上の２か所で固定される。その際、レンズ保持枠２のベース２ａと中間リング４との間には、連結用ネジ７ａの固定位置それぞれにおいて、厚さが等しいスペーサー９ａが設けられている。これによって、レンズ保持枠２と中間リング４との間は、連結部以外はスペーサー９ａの厚さｄ分だけ離間して隙間が形成される。
【００２３】
なお、レンズ保持枠２のベース２ａの円環面３０と中間リング４を固定する手段は一対のネジ７ａに限定されず、例えば、一つのＵ字形状を有する固定部材や接着、溶接などほかの固定手段を利用してもよい。
【００２４】
固定枠３と中間リング４は、一対の連結用ネジ（第２ネジ）７ｂを使用して、直交座標系１におけるＺ軸方向に平行な直線８ｂ上の２か所でスペーサー９ｂを挟むようにして固定される。これによって、固定枠３と中間リング４との間も、連結ネジ７ｂによる連結部以外はスペーサー９ｂの厚さｄ分だけ離間して隙間が形成される。
【００２５】
なお、固定枠３と中間リング４を固定する手段は一対のネジ７ｂに限定されず、例えば、一つのＵ字形状を有する固定部材や接着、溶接などほかの固定手段を利用してもよい。
【００２６】
なお、本実施例はスペーサー９ｂと９ａの厚さを同じにしているが、倒し調整に必要な量が確保されれば異なってもよい。
【００２７】
調整ビス１２ａは、中間リング４とレンズ保持枠２のベース２ａと間隔を変化させることによって図２（ａ）に示す直線（第１直線）８ａの周りにレンズ６の光軸ＯＡを傾斜させる。直線８ａは、一対の貫通孔５１の中心（または一対のネジ穴３１またはネジ７ａの中心）を結ぶことによって形成される。直線８ａはレンズ６の外側（または接線）に形成される。
【００２８】
調整ビス１２ａは、図２（ａ）に示すように、光軸中心を通り、直線８ａに垂直なＺ軸と平行な方向に並んでいる押しビス１０ａと呼び込みビス１１ａを有する。押しビス１０ａは貫通孔１４ａに挿入されてレンズ保持枠２の円環面３０を押圧可能に構成されたネジ（第２ネジ）である。呼び込みビス１１ａは、貫通孔５３を介してネジ穴１５ａと係合可能に構成されたネジ（第１ネジ）である。
【００２９】
以下、図２（ｂ）及び図３を参照して、押しビス１０ａと呼び込みビス１１ａを用いたレンズ保持枠２と中間リング４との間で行う倒し調整の方法について説明する。
【００３０】
図３は、レンズ保持枠２と中間リング４との間の倒し調整を示す図であり、（ａ）、（ｂ）はそれぞれ、Ｙ軸回りの回転方向矢印１３ａ、１３ｂの方向への倒し調整を行った状態を示す部分断面図である。
【００３１】
調整前に、調整量に対して十分な余裕が得られる状態まで呼び込みビス１１ａと押しビス１０ａを緩めておく。図２（ｂ）は、この状態を示している。連結部においては、中間リング４とレンズ保持枠２との間隔はスペーサー９ａによって一定に保たれている。また、調整ビス１２ａの配置位置付近での中間リング４とレンズ保持枠２との間隔ｄａも、スペーサーの厚さｄとほぼ等しい状態となっている。
【００３２】
次に、Ｙ軸周り倒し方向矢印１３ａ方向への倒し調整について、図３（ａ）を用いて説明する。前述したように、押しビス１０ａは中間リング４に設けられた貫通孔１４ａに挿入され、レンズ保持枠２の円環面３０を押圧可能に配置されている。このため、押しビス１０ａを締め付けることによってレンズ保持枠２が押され、調整ビス１２ａ配置位置付近での中間リング４とレンズ保持枠２との間隔ｄａが、スペーサー９ａの厚さｄより大きくなる。
【００３３】
連結部と押しビス１０ａとの配置位置で、レンズ保持枠２と中間リング４との間隔に差が発生し、直線８ａを軸とする方向に、レンズ保持枠２を中間リング４に対して相対的に倒すことができる。この間隔の差を調整することで、レンズ保持枠２の倒し量を調整することができる。
【００３４】
一方、反対方向に倒し調整を行う場合には、呼び込みビス１１ａを用いて調整を行う。これについて図３（ｂ）を用いて説明する。呼び込みビス１１ａに対応するネジ穴１５ａはレンズ保持枠２に設けられておる。このため、呼び込みビス１１ａを締め付けると、調整ビス１２ａ配置位置付近での中間リング４とレンズ保持枠２との間隔ｄａはスペーサー９ａの厚さｄより小さくなる。
【００３５】
押しビス１０ａを用いた時と同様に、連結部と、呼び込みビス１１ａの配置位置での中間リング４とレンズ保持枠２との間隔に差が発生し、レンズ保持枠２が中間リング４に対して相対的に倒れる状態となる。
【００３６】
以上、レンズ保持枠２を倒す方向によって、調整するビスを変えることによって、直線８ａを軸とする方向の倒し調整を行うことができる。
【００３７】
固定枠３と中間リング４との間も、中間リング４とレンズ保持枠２との倒し調整の時と同様の構成によって倒し調整を行う。これを、図２（ｃ）及び図４を参照して説明する。図４は、固定枠３と中間リング４との間の倒し調整を示す図であり、（ａ）、（ｂ）はそれぞれ、Ｚ軸回りの回転方向矢印１６ａ、１６ｂの方向への倒し調整を行った状態を示す部分断面図である。
【００３８】
調整ビス１２ｂは、図２（ａ）に示すように、固定枠３と中間リング４の間隔を変化させることによって、直線８ａとは平行ではない直線（第２直線）８ｂの周りにレンズ６の光軸を傾斜させる。直線８ｂは、一対の貫通孔４１の中心（または一対のネジ穴５２またはネジ７ｂの中心）を結ぶことによって形成される。直線８ｂはレンズ６の外側（または接線）に形成される。
【００３９】
調整ビス１２ｂは、図２（ａ）に示すように、光軸中心を通り、直線８ｂに垂直なＹ軸と平行な方向に並んでいる押しビス１０ｂと呼び込みビス１１ｂを有する。押しビス１０ｂは貫通孔１４ｂに挿入されて中間リング４の表面５４を押圧可能に構成されたネジ（第４ネジ）である。呼び込みビス１１ｂは、貫通孔４２を介してネジ穴１５ｂと係合可能に構成されたネジ（第３ネジ）である。
【００４０】
この時の調整は、固定枠３と中間リング４との間で行った調整と同様である。即ち、調整前に、調整量に対して十分な余裕が得られる状態まで呼び込みビス１１ｂと押しビス１０ｂを緩めておく。図２（ｃ）は、この状態を示している。その後、調整ネジ配置位置における中間リング４と固定枠３との間隔ｄｂを押しビス１０ｂを用いて広げるか、呼び込みビス１１ｂを用いて縮めることで、直線８ｂを軸とする方向に倒し調整が可能となる。
【００４１】
以上の構成により、直線８ａ及び直線８ｂを軸とする２方向の倒し調整をそれぞれ独立して行うことができるようになる。直線８ａと直線８ｂは直交しているので、これらを組み合わせることで、任意の方向への倒し調整を上下方向、左右方向に分割して容易に行えるようにすることができる。
【００４２】
本実施例では、ネジ７ａがレンズ保持枠２と中間リング４を固定し、ネジ７ｂが固定枠３と中間リング４を固定し、一対のネジ７ａが並ぶ直線８ａと一対のネジ７ｂが並ぶ直線８ｂとは位相が異なっている。そして、直線８ａに関してネジ７ａとは反対側にある調整ビス１２ａと、直線８ｂに関してネジ７ｂとは反対側にある調整ビス１２ｂによってレンズ６の傾き調整が行われる。このように、レンズ６は６つの固定部によって固定されるので、レンズ鏡筒５は外力に強い倒れ調整を行うことができる。
【００４３】
倒し調整後には、押しビス１０ａ，１０ｂと呼び込みビス１１ａ，１１ｂにおいて、倒し調整に使用しなかった方を締結すると、倒れ調整後の状態から変化しないように固定することができる。これによって、レンズ保持枠２の中心軸を囲む３か所での固定がされた状態になり、倒れ調整後の状態をより強固に維持できるようになる。
【００４４】
不使用調整ビスの固定の際に、押しビス１０ａ，１０ｂと呼び込みビス１１ａ，１１ｂが直線８ａ、８ｂに直交する直線上に並んでいないと意図しない力が発生してレンズ保持枠２が意図しない方向に倒れてしまうおそれがある。しかし、この影響が問題にならない場合においては、図５に示すように、押しビス１０ａ，１０ｂと呼び込みビス１１ａ，１１ｂを直線８ａ、８ｂと平行に並ぶように配置してもよく、この配置により、レンズ鏡筒５の径方向寸法を小さくすることができる。
【００４５】
また、図６に示すように、連結ネジ７ｃ、７ｄの配置位置を結ぶ直線８ｃ、８ｄをより光軸中心に近い位置になるようにし、調整用のネジ１１ｃ、１１ｄを直線８ｃ、８ｄを跨ぐように２か所に配置してもよい。各軸方向２つずつの調整用のネジ１１ｃ，１１ｄは、両方が引き込みネジであり、両側の引き込み量に差をつけることで倒れ調整を行うようにしている。なお、調整ねじは、両方を間隔拡大用の押しビスにして、押し込み量を調整することで倒し調整を行うようにしてもよい。
【００４６】
なお、本実施例は、倒れ偏心方向を上下方向と左右方向に分離しているが、分離方向はこれに限定されず、位相を傾けたところで分離してもよい。また、本実施例は、分離する２方向を直交させて任意の方向への倒し調整の幅を最小にしているが、倒し調整に必要な調整量が十分に確保できるのであれば必ずしも直交しなくてもよい。
【００４７】
また、本実施例は、固定枠と中間リング、中間リングとレンズ保持枠との倒し調整時の調整部における間隔の拡大・縮小には、ビスによる押しこみ・呼び込みによって行っているが、他の方法を使用してもよい。例えば、それぞれの隙間にクサビ状の部品を側面から差し込んで差し込み量を調整することによって間隔を調整するようにしてもよい。
【００４８】
また、本実施例は、固定枠を介して隣接するレンズ保持枠等に連結しているが、固定枠自体が、倒し調整用レンズに隣接するレンズや撮像素子の保持枠や、レンズ鏡筒のマウント部分を兼ねる構造になっていてもよい。
【００４９】
更に、本実施例は、レンズ保持枠と中間リング、中間リングと固定枠の間を離間させるために連結部にスペーサーを設けているが、中間リングやレンズ保持枠、固定枠にスペーサーと同等の働きをする突起部を設けるようにしてもよい。
【００５０】
また、本実施例は、上述のレンズ鏡筒の製造方法も開示している。この製造方法は、中間リング４とベース２ａとの間隔を変えることによって直線８ａ周りにレンズ６の光軸ＯＡを傾斜させるステップと、固定枠３と中間リング４の間隔を変えることによって直線８ｂ周りにレンズ６の光軸ＯＡを傾斜させるステップと、を有する。
【実施例２】
【００５１】
以下、図７から図１０を参照して、実施例２のレンズ鏡筒について説明する。なお、実施例１と同等の構造については、その説明を省略する。本実施例のレンズ鏡筒は、中間リング４の代わりに中間リング２１を有する。中間リング２１は、レンズ保持枠２に対向する面および固定枠３に対向する面の少なくとも一方が、中央の貫通孔の中心線に垂直な平面に対して平行ではなく傾斜している斜面を有する
図７から図９は、表裏で位相を９０度ずらした方向に一定の傾斜θを持つ中間リング２１を利用した、倒し調整用レンズ鏡筒の一部または全部を示した側面図である。
【００５２】
図７は、中間リング２１と、レンズ保持枠２との間の組立関係を示す図であり、（ａ）は組立前、（ｂ）は連結ネジ７ａにて固定した状態、（ｃ）はそこから調整ネジ１１ｅを用いてレンズ保持枠２を呼び込んだ状態を示す側面図である。
【００５３】
中間リング２１のレンズ保持枠２の取り付け面は、図７に示すように調整ネジ１１ｅ側から、固定ネジ７ａの配置方向に向かうにつれて、中間リング２１とレンズ保持枠２との間隔が広がるような斜面２２となっている。これによって、レンズ保持枠２と、中間リング２１とを連結ネジ７ａによって固定すると、図７（ｂ）に示すように、レンズ保持枠２は、この斜面２２に沿うように倒れた状態で連結される。
【００５４】
ここで、倒れ調整用の呼び込みビス１１ｅを締結していくと、呼び込みビス１１ｅの配置位置での中間リング２１とレンズ保持枠２との間隔ｄａが縮まっていき、もともとあった倒れ量を低減させることができる。これによって、中間リング２１の斜面２２による影響で倒れていた分を戻す図７（ｃ）に示した状態になる。この状態から、さらに呼び込みビス１１ｅを締結することで、もともとあった倒れ方向とは逆方向に倒すこともできる。
【００５５】
図８は、固定枠３と、中間リング２１との組付関係を示す図であり、（ａ）は組立前、（ｂ）は連結ネジ７ｂにて固定した状態、（ｃ）はそこから調整ネジ１１ｆを用いて中間リング２１を呼び込んだ状態を示す側面図である。
【００５６】
中間リング２１の固定枠３の取り付け面側には、レンズ保持枠２の取り付け面側の傾斜面２２に対して、９０度位相をずらした傾斜２３が設けてある。このため、固定枠３と中間リング２１を連結すると、中間リング２１と固定枠３とは、中間リング２１とレンズ保持枠２との間の倒れ方向とは９０度位相がずれた方向に倒れた状態になる。
【００５７】
ここからの調整は、レンズ保持枠２と中間リング２１との間で行った方法と同様である。すなわち、予め倒れている状態から、呼び込みビス１１ｆを締結していくと、倒れを徐々に低減させることができ、さらに締結すれば、もともとあった倒れ方向とは逆方向に倒すこともできる。
【００５８】
図９は、固定枠３からレンズ保持枠２まで組み合わせた状態を示している。ここで、（ａ）が倒し調整を行う前の状態であり、（ｂ）がレンズ６の光軸を、座標系１のＸ方向と一致するまで調整した状態を示している。
【００５９】
表裏に位相をずらした傾斜を持つ中間リング２１を用いると、上下方向、左右方向それぞれに倒れた状態で連結されることになる。この状態から呼び込みビス１１ｅ，１１ｆの締結量を調整することで、固定枠３の取り付け面とレンズ６の光軸中心との関係をさらには逆方向への倒しも可能となる。
【００６０】
このように、予め一定の傾きを与えた状態から調整することで、倒し方向の分離を行った方向ごとに、呼びこみビスの締結量を調整するだけで倒し調整を行うことが出来るようになる。
【００６１】
なお、レンズ保持枠を予め傾けて固定する方法は、傾斜面を持つ中間リング２１を用いる方法に限定されない。例えば、図１０に示すように、スペーサー２４の両端面に一定の角度を設けるようにして、レンズ保持枠２と中間リング４、中間リング４と固定枠３のそれぞれを傾けるようにするなど、スペーサー２４の部分で傾けを発生させる構造にしてもよい。
【００６２】
なお、この例においては、２つのスペーサー２４の方向を揃える目印として、スペーサー２４の外径部に二方取りを設けている。中間リング４や、レンズ保持枠２にこの二方取りにあう溝を設けておけば、２つのスペーサー２４の傾斜方向を揃えることが容易になる。
【００６３】
また、本実施例は、２つの傾きを有するスペーサーを、２か所連結ネジの配置位置に置いて傾斜方向を揃えて使用しているが、２つのスペーサーを連結させて一体化した形状の１つのスペーサーを用いるようにしてもよい。これにより、スペーサーの向きを揃えるような作業の必要性が無くなり、スペーサーを組み込むだけで傾斜方向が設定されるようになる。
【００６４】
あるいは直線上に並ぶ２つのスペーサーの高さに差を設けてもよい。これは、第１の方向の軸となる２つのスペーサーで高さの差を設けることで第２の方向に予め倒し、第２の方向の倒し調整の軸となる２つのスペーサーの高さに差を設けて、第１の方向に予め倒す方法である。
【００６５】
以上、本発明の好ましい実施例について説明したが、本発明はこれらの実施例に限定されず、その要旨の範囲内で種々の変形及び変更が可能である。本実施例のレンズ鏡筒を有する撮像装置も本発明の一側面を構成する。
【産業上の利用可能性】
【００６６】
レンズ鏡筒は撮像装置に適用することができる。
【符号の説明】
【００６７】
２・・・レンズ保持枠（保持部材）、２ａ・・・ベース、２ｂ・・・円筒部、３・・・固定枠（固定部材）、４・・・中間リング（中間部材）、５・・・レンズ鏡筒、６・・・レンズ、７ａ・・・第１ネジ（第１固定手段）、７ｂ・・・第２ネジ（第２固定手段）、１２ａ・・・調整ビス（第１傾き調整手段）、１２ｂ・・・調整ビス（第２傾き調整手段）、３０・・・円環面
【図１】
2012048090.tif 000003
【図５】
2012048090.tif 000004
【図６】
2012048090.tif 000005
【図２】
2012048090.tif 000006
【図３】
2012048090.tif 000007
【図４】
2012048090.tif 000008
【図７】
2012048090.tif 000009
【図８】
2012048090.tif 000010
【図９】
2012048090.tif 000011
【図１０】
2012048090.tif 000012